(57)【要約】【課題】製氷機の機器本体から、給水管や排水管を左右いずれの方向へも容易に引き出せるようにする。【解決手段】導水管が、機器本体１の左右側面にそれぞれ設定した引出口３１・３１のいずれかを通って機器本体１の横外側方へ引き出し可能になっている製氷機である。機器本体１の後壁には、機器本体１の内部と仕切られて後ろ向きに開口する凹入空間１５が、機器本体１の左右間にわたって凹み形成されている。導水管は、機器本体１の内部から凹入空間１５に導出されたのち、前記引出口３１を介して機器本体１の横外側方へ引き出すことができる。凹入空間１５の後面側から、凹入空間１５内における導水管の引き出し方向を右か左かに切り換え操作できる。【選択図】図１
2006313025.tif 000002
【特許請求の範囲】
【請求項１】
導水管が、機器本体（１）の左右側面にそれぞれ設定した引出口（３１）・（３１）のいずれかを通って機器本体（１）の横外側方へ引き出し可能になっている水利用機器であって、
機器本体（１）の後壁に、機器本体（１）の内部と仕切られて後ろ向きに開口する凹入空間（１５）が、機器本体（１）の左右間にわたって凹み形成されており、
導水管は、機器本体（１）の内部から凹入空間（１５）に導出されたのち、前記引出口（３１）を介して機器本体（１）の横外側方へ引き出すことができ、
凹入空間（１５）の後面側から、凹入空間（１５）内における導水管の引き出し方向を右か左かに切り換え操作できるようにしたことを特徴とする水利用機器。
【請求項２】
凹入空間（１５）が、機器本体（１）の後壁を構成する後面パネル（１５ａ）に折り曲げ形成されている請求項１記載の水利用用機器。
【請求項３】
前記導水管が、可撓性を有するフレキシブル管である請求項２記載の水利用機器。
【請求項４】
水利用機器が製氷機であり、
導水管が、機器本体（１）内に水を取り入れるための給水管（１１）と、機器本体（１）から排水するための排水管（１２）とである請求項３記載の水利用機器。
【発明の詳細な説明】
【技術分野】
【０００１】
本発明は、製氷機や食器洗い機などの水利用機器に関する。
【背景技術】
【０００２】
製氷機にあっては、特許文献１に示すごとく、水道水を用いて製氷し、オーバーフローしたり、製氷後に残った水を排水溝などに排出する。このため、製氷機の機器本体からは、水道管に接続するための給水管や、排水溝などへ排水するための排水管などの導水管が引き出される。
【０００３】
【特許文献１】特開平７−７７３７３号公報（段落番号００１３−００１７、図１）
【特許文献２】特開平７−２９４０７８号公報（段落番号００２３、図１）
【特許文献３】特開平７−２９４０８０号公報（段落番号００１１、図１）
【発明の開示】
【発明が解決しようとする課題】
【０００４】
製氷機は、一般に厨房などの壁面に添って設置され、製氷機本体の後面と前記壁面との間に隙間がないことが多い。したがって、製氷機本体の後面側から導水管を引き出すことは困難である。このため、製氷機本体の左右の側面に導水管の引出口を設け、この引出口から給水管や排水管を引き出している。
【０００５】
いったん製氷機を設置したのちでも、水道管の配管変更などによって、給水管や排水管の引き出し方向を左右逆に変更したい場合がある。この場合、製氷機の後壁はパネルで覆われているために、その後面パネルをいったん取り外し、給水管や排水管の向きを変えて、引き出したのち、再び後面パネルを製氷機本体に付け直すことになる。
【０００６】
したがって、後面パネルを着脱する作業分だけ前記変更に手間取るところに問題があった。後面パネルを省略することも考えられるが、この場合は製氷機本体内が外部に剥き出しになって鼠などの侵入を防ぎ切れなくなる。
【０００７】
そこで本発明の目的は、機器本体の後面側から給水管や排水管の引き出し方向を容易に変更できる水利用機器を提供することにある。
【課題を解決するための手段】
【０００８】
本発明は、導水管が、機器本体１の左右側面にそれぞれ設定した引出口３１・３１のいずれかを通って機器本体１の横外側方へ引き出し可能になっている水利用機器において、機器本体１の後壁に、機器本体１の内部と仕切られて後ろ向きに開口する凹入空間１５が、機器本体１の左右間にわたって凹み形成されていること、導水管は、機器本体１の内部から凹入空間１５に導出されたのち、引出口３１を介して機器本体１の横側方へ引き出すことができること、凹入空間１５の後面側から凹入空間１５内における導水管の引き出し方向を右か左かに切り換え操作できるようにしたことを特徴とする。
【０００９】
本発明の水利用機器は、製氷機や食器洗い機などを広く対象としており、ここでの導水管は、給水管１１や排水管１２などが該当し、水道水あるいは水道水以外の液体などを流すものを含む。
【００１０】
凹入空間１５は、機器本体１の後壁を構成する後面パネル１５ａに折り曲げ形成することができる。
【００１１】
導水管としては、可撓性を有するフレキシブル管を用いることができる。ここでのフレキシブル管は、蛇腹状の自由に曲げられる管が該当し、ステンレス材や合成樹脂材などで形成される。
【００１２】
本発明は製氷機に用いて好適であり、その際の導水管は、機器本体１内に水を取り入れるための給水管１１と、機器本体１から排水するための排水管１２になる。
【発明の効果】
【００１３】
本発明によれば、機器本体１の後壁に、後ろ向きに開口する凹入空間１５が左右間にわたって形成されており、この凹入空間１５に導出した導水管を凹入空間１５ついで左右の一方の引出口３１に通して機器本体１の横外側方へ引き出す形式を採る。したがって、導水管の引き出し方向を左右逆に変更したい場合には、機器本体１を建物の壁面から離したのち、機器本体１の後ろ側に回って導水管の左右方向の向きを変えて他方の引出口３１から導水管を機器本体１の横外側方に引き出せばよい。つまり、前記変更作業の際に機器本体１の後面パネル１５ａをいちいち着脱しなくても済み、導水管の引き出し方向の変更作業が簡単に行える。
【００１４】
導水管は、凹入空間１５内へ収まっているので、機器本体１より後方へはみ出すことがない。凹入空間１５は、機器本体１の内部と区画されているので、機器本体１内に鼠などが侵入することも防止できる。
【発明を実施するための最良の形態】
【００１５】
図面は本発明を製氷機に適用した実施例を示す。図４および図５において直方体形状の機器本体１内には、前面が開口する製氷室２と、この製氷室２の下側に設けた機械室３と、製氷室２内の空間上部に配された製氷ユニット５とを有する。製氷室２は断熱壁で囲まれており、製氷ユニット５で生成された氷は、製氷室２の空間下部に貯蔵される。製氷室２の開口前面には開閉扉６を備えている。
【００１６】
図５において製氷ユニット５は、氷生成用の水道水を蓄える給水タンク７と、多数の氷を一度に生成する製氷部９と、給水タンク７内の水を製氷部９へ供給する給水ポンプ１０と、給水タンク７へ水道水を取り入れるための給水管１１と、製氷後に給水タンク７内に残った水道水を排水管１２に導く排水パン１３とを備えている。給水管１１および排水管１２には、可撓性を有するフレキシブル管を用いた。
【００１７】
給水タンク７は、製氷後に図５の仮想線に示す傾斜姿勢に揺動することで、タンク内に残った水道水を排水パン１３に排出する。排水パン１３内の水道水は、排水管１２を通って機器本体１外に排出される。
【００１８】
機器本体１の後壁の下部には、図１および図２に示すごとく、機器本体１の内部と仕切られて後ろ向きに開口する凹入空間１５が左右間にわたって凹み形成されている。図の凹入空間１５は、機器本体１の後壁を構成する後面パネル１５ａを断面コ字状に折り曲げることで形成してある。
【００１９】
図３において、凹入空間１５の上壁１９には、左右端寄り部位に導出口２０・２１がそれぞれ設けられており、先の給水管１１と排水管１２とが、機器本体１の内部から導出口２０・２１を介して凹入空間１５の内部に導出される。
【００２０】
給水タンク７には、１回の製氷に必要な量の水道水が給水管１１で供給されて貯蔵される。機械室３内には、図５に示すごとく、製氷および製氷室２内を冷却するための冷却装置２２を配する。製氷室２には、製氷および製氷室２の冷却用の熱交換器２３が配されており、この熱交換器２３に前記冷却装置２２が接続されている。冷却装置２２は、圧縮機２４、凝縮機２５および膨張弁などを有する。
【００２１】
機器本体１の左右の横側壁１６・１６には、図２および図６に示すごとく、凹入空間１５の左右端にそれぞれ臨む開口２６・２６を有する。凹入空間１５の左右端がそのまま該当の開口２６・２６として開放されていてもよい。左右の各横側壁１６には、各開口２６の外側を塞ぐ四角形の引出口パネル２７がそれぞれ着脱自在にビス止めされている。
【００２２】
各引出口パネル２７には、上下に一対の引出口３１・３１を後ろ側に偏った位置に貫通状に設けてある。
【００２３】
給水管１１および排水管１２は、フレキシブル管としたので、凹入空間１５の内部で左右のいずれの方向にも向くように曲げることができる。したがって、機器本体１内から凹入空間１５に導出された給水管１１および排水管１２は、一方の引出口パネル２７のいずれかの引出口３１・３１を介して機器本体１の横外側方へ引き出すことになる。引き出した給水管１１は水道管に接続し、引き出した排水管１２は排水溝などに導く。
【００２４】
引出口パネル２７を上下逆にして機器本体１の横側壁１６・１６に取り付けたときには、図７に示すごとく、上下の両引出口３１・３１が前側（図７の左側）に偏った状態で並ぶ。各引出口パネル２７は、上下を逆にした状態でも両引出口３１・３１が開口２６にそれぞれ臨むように形成してある。
【００２５】
つまり、製氷機の隣に設置した冷蔵庫の脚３２などが機器本体１の横側壁１６・１６の後端部に臨む場合などに、両引出口３１・３１が図６の位置にあると、その両引出口３１・３１から引き出した給水管１１や排水管１２が冷蔵庫の脚３２と干渉する。この場合、引出口パネル２７の上下を逆にするだけで、両引出口３１・３１が前側に位置して、冷蔵庫の脚３２に邪魔されることなく給水管１１や排水管１２を引き出すことができる。
【００２６】
機器本体１の横側壁１６の開口２６は、両引出口３１・３１が前側に位置した場合でも後ろ側に位置した場合でも、給水管１１および排水管１２を開口２６および引出口３１を介して引き出せるだけの大きさを有する。引出口パネル２７を正方形に形成し、これを横向きにして機器本体１の横側壁１６・１６に取り付けることで、両引出口３１・３１が上側に偏った状態あるいは下側に偏った状態で前後方向に並ぶようにしてもよい。
【００２７】
給水管１１は左右のいずれか一方の引出口パネル２７の引出口３１から引き出し、排水管１２は他方の引出口パネル２７の引出口３１から引き出してもよい。機器本体１の設置場所によっては、給水管１１および排水管１２を凹入空間１５の後方へ直接に引き出してもよい。給水管１１および排水管１２が、左右いずれか一方の引出口パネル２７の両引出口３１・３１からそれぞれ引き出される場合には、他方の引出口パネル２７は引出口３１・３１を省略した盲板状のものであってもよい。引出口パネル２７これ自体は化粧用であるから必要に応じて省略することができる。
【００２８】
図８は、本発明の別実施例に示しており、機器本体１内から凹入空間１５に導出されて来る第１の給水管１１ａにＴ字形の継手３３を介して第２の給水管１１ｂが左右の一方に引き出されるよう接続されている。第２の給水管１１ｂは、継手３３の一方の出口に接続されており、継手３３の他方の出口は袋ナットの類で塞がれている。これによっても、継手３３を利用して給水管１１を左右いずれの方向へも引き出し変更できる。排水管１２においても同様の形態を採ることができる。先の継手３３はエルボにしてもよい。
【図面の簡単な説明】
【００２９】
【図１】要部の縦断側面図
【図２】要部の斜視図
【図３】凹入空間まわりを示す縦断背面図
【図４】製氷機を前側から見た斜視図
【図５】製氷機の縦断正面図
【図６】引出口パネルの取り付け例を示す側面図
【図７】引出口パネルの他の取り付け例を示す側面図
【図８】本発明の別実施例を示す縦断背面図
【符号の説明】
【００３０】
１  機器本体
１１  給水管
１２  排水管
１５  凹入空間
１６  左右の横側壁
３１  引出口
【図１】
2006313025.tif 000003
【図２】
2006313025.tif 000004
【図３】
2006313025.tif 000005
【図４】
2006313025.tif 000006
【図５】
2006313025.tif 000007
【図６】
2006313025.tif 000008
【図７】
2006313025.tif 000009
【図８】
2006313025.tif 000010